(57)【要約】【課題】振分部材が遊技媒体を左右に交互に振り分け可能な遊技機の提供を目的とする。【解決手段】  本発明に係るパチンコ遊技機１０では、振分部材４２が基準中心線Ｌ２の左右の両側に遊技球９０を受容可能な第１と第２の受容部４６Ａ，４６Ｂを備え、基準中心線Ｌ２が左側に傾いた第１側傾動位置と、基準中心線Ｌ２が右側に傾いた第２側傾動位置とに位置決めされる。第１側傾動位置に配置された振分部材４２は、第２の受容部４６Ｂで遊技球９０を受容すると、遊技球９０の自重によって第２側傾動位置へと回転して遊技球９０を右側へ排出し、第１の受容部４６Ａで遊技球９０を受容可能となる。第２側傾動位置の振分部材４２が第１の受容部４６Ａで遊技球を受容した場合は、振分部材４２が第１側傾動位置へと回転して遊技球９０を左側へ排出する。【選択図】図１１
2012231902.tif 000002
【特許請求の範囲】
【請求項１】
遊技媒体が流下する遊技領域を有する遊技盤と、
前記遊技領域に設けられて、遊技媒体を入球することで下方に案内する導入流路と、
前記導入流路の下方に二股に分かれて延びて配設された第１と第２の分岐流路と、
前記導入流路と前記第１と第２の分岐流路の間の空間に配設されて、軸を中心に前記第１分岐流路側と前記第２分岐流路側に傾動する振分部材とを備えており、
前記振分部材には、
前記導入流路側の上方に向けて延びた上方規制部と、
前記第１の分岐流路側に延びて前記上方規制部との間で第１の受容部を形成する第１規制部と、
前記第２の分岐流路側に延びて前記上方規制部との間で第２の受容部を形成する第２規制部と、
前記第１の受容部が前記第１の分岐流路側に傾動して前記導入流路から導かれた遊技媒体を前記第１の受容部に受容されないように規制すると共に前記第２の受容部で受容可能とする第１側傾動位置と、前記第２の受容部が前記第２の分岐流路側に傾動して前記導入流路から導かれた遊技媒体を前記第２の受容部に受容されないように規制すると共に前記第１の受容部で受容可能とする第２側傾動位置とに前記振分部材を位置決めする傾動規制ストッパとを備え、
前記振分部材の重心を、前記上方規制部上に配置し、
前記第２側傾動位置で前記第１の受容部に受容された遊技媒体の重心が前記軸に対して前記振分部材の重心と反対側に位置することで、その遊技媒体の自重によって前記振分部材が前記第１側傾動位置へと傾動すると共に、前記第１側傾動位置で前記第２の受容部に受容された遊技媒体の重心が前記軸に対して前記振分部材の重心と反対側に位置することで、その遊技媒体の自重によって前記振分部材が前記第２側傾動位置へと傾動するように構成し、
前記第１側傾動位置では、前記第１の受容部に受容された遊技媒体を前記第１の分岐流路に導く一方、前記第２側傾動位置では、前記第２の受容部に受容された遊技媒体を前記第２の分岐流路に導くように前記導入流路から前記振分部材に流下した遊技媒体を当該遊技媒体の自重により前記第１の分岐流路と前記第２の分岐流路に交互に導く構成であることを特徴とする遊技機。
【請求項２】
遊技媒体を受け入れて前記遊技盤の裏側に取り込むと共に、遊技媒体を受け入れたことを条件にして遊技者に特典を付与する第１と第２の入賞口を備え、
前記第１の入賞口を前記第１の分岐流路の終端側に配置する一方、
前記第２の入賞口を前記第２の分岐流路の終端側に配置したことを特徴とする請求項１に記載の遊技機。
【請求項３】
前記第１規制部と前記第２規制部は、前記上方規制部に対して互いに対称であることを特徴とする請求項１又は２に記載の遊技機。
【請求項４】
前記第１側傾動位置では、前記上方規制部が前記導入流路から前記第１の分岐流路への遊技媒体の流下を規制しかつ前記導入流路から前記第２の分岐流路への遊技媒体の流下を前記第２規制部で規制することで遊技媒体を前記第２の受容部に受容すると共に前記第１の受容部から前記第１の分岐流路へ前記第１の受容部に受容された遊技媒体を導くことを可能とする一方、前記第２側傾動位置では、前記上方規制部が第２の受容部側に傾いて前記導入流路から前記第２の分岐流路への遊技媒体の流下を規制しかつ前記導入流路から前記第１の分岐流路への遊技媒体の流下を前記第１規制部で規制することで遊技媒体を前記第１の受容部に受容すると共に前記第２の受容部から前記第２の分岐流路へ前記第２の受容部に受容された遊技媒体を導くことを可能とすることを特徴とする請求項１乃至３の何れか１の請求項に記載の遊技機。
【請求項５】
前記振分部材の側方に配置されかつ前記導入流路の下端部と前記第１又は第２の分岐流路とを連絡する流路の幅を、前記導入流路から離れるに従って幅広になるように構成したことを特徴とする請求項１乃至４の何れか１の請求項に記載の遊技機。
【請求項６】
前記導入流路は、遊技媒体が１つずつ流下可能な幅をなし、
前記振分部材が前記第２側傾動位置で前記第１の受容部に遊技媒体を受容してから、前記第１側傾動位置まで傾動する間に、前記第１の受容部に受容された遊技媒体及び前記上方規制部を前記導入流路内の次の遊技媒体に摺接させて、次の遊技媒体の前記振分部材側への流下を規制し、
前記振分部材が前記第１側傾動位置で前記第２の受容部に遊技媒体を受容してから、前記第２側傾動位置まで傾動する間に、前記第２の受容部に受容された遊技媒体及び前記上方規制部を前記導入流路内の次の遊技媒体に摺接させて、次の遊技媒体の前記振分部材側への流下を規制することを特徴とする請求項１乃至５の何れか１の請求項に記載の遊技機。
【請求項７】
前記上方規制部の先端部は、基端側へ向かうにつれて両側部が互いに離れるように傾斜したことを特徴とする請求項１乃至６の何れか１の請求項に記載の遊技機。
【請求項８】
前記振分部材が前記第１側傾動位置で、前記第１規制部が前記軸に対して斜め下方に位置し、前記振分部材が前記第２側傾動位置で、前記第２規制部が前記軸に対して斜め下方に位置するように構成したことを特徴とする請求項１乃至７の何れか１の請求項に記載の遊技機。
【請求項９】
遊技媒体が流下する遊技領域を有する遊技盤と、
前記遊技領域に配設されて、軸を中心に両側に傾動すると共に前記軸に対して上方に向けて交差する基準線の両側に遊技媒体を受容するための第１と第２の受容部を有した振分部材と、
前記第１の受容部が遊技媒体を受容可能となりかつ前記第２の受容部から遊技媒体を排出可能となるように前記基準線が前記第２の受容部側に傾いた第２側傾動位置と、前記第２の受容部が遊技媒体を受容可能となりかつ前記第１の受容部から遊技媒体を排出可能となるように前記基準線が前記第１の受容部側に傾いた第１側傾動位置とに前記振分部材を位置決めする傾動規制ストッパとを備えて上方から前記振分部材に流下した遊技媒体を交互に振り分け可能であり、
前記振分部材の重心を、前記軸より上側でかつ前記基準線上に配置し、
前記第２側傾動位置で前記第１の受容部に受容された遊技媒体の重心が前記軸に対して前記振分部材の重心と反対側に位置することで、その遊技媒体の自重によって前記振分部材が前記第１側傾動位置へと傾動すると共に、前記第１側傾動位置で前記第２の受容部に受容された遊技媒体の重心が前記軸に対して前記振分部材の重心と反対側に位置することで、その遊技媒体の自重によって前記振分部材が前記第２側傾動位置へと傾動するように構成したことを特徴とする遊技機。
【発明の詳細な説明】
【技術分野】
【０００１】
本発明は、遊技盤に有する遊技媒体が流下する遊技領域に配設されて、軸を中心に両側に傾動する振分部材によって、流下する遊技媒体を両側に振り分け可能な遊技機に関する。
【背景技術】
【０００２】
従来、この種の遊技機として、回転軸から下方へ直線状に延びた振分部材が、流下する遊技球と衝突することで左右に傾動するものが知られている（特開２００５−３３４５０１号公報）。
【先行技術文献】
【特許文献】
【０００３】
【特許文献１】特開２００５−３３４５０１号公報（段落［００３３］、図４）
【発明の概要】
【発明が解決しようとする課題】
【０００４】
しかしながら、上述した従来の遊技機では、例えば、遊技球の流下速度が遅い場合、振分部材が遊技球と衝突しても傾動姿勢が変更されず、遊技球が左右の一方側に偏って振り分けられるということがあった。
【０００５】
本発明は、上記事情に鑑みてなされたもので、振分部材が遊技媒体を両側に交互に振り分け可能な遊技機の提供を目的とする。
【課題を解決するための手段】
【０００６】
上記目的を達成するためになされた請求項１の発明に係る遊技機は、遊技媒体が流下する遊技領域を有する遊技盤と、遊技領域に設けられて、遊技媒体を入球することで下方に案内する導入流路と、導入流路の下方に二股に分かれて延びて配設された第１と第２の分岐流路と、導入流路と第１と第２の分岐流路の間の空間に配設されて、軸を中心に第１分岐流路側と第２分岐流路側に傾動する振分部材とを備えており、振分部材には、導入流路側の上方に向けて延びた上方規制部と、第１の分岐流路側に延びて上方規制部との間で第１の受容部を形成する第１規制部と、第２の分岐流路側に延びて上方規制部との間で第２の受容部を形成する第２規制部と、第１の受容部が第１の分岐流路側に傾動して導入流路から導かれた遊技媒体を第１の受容部に受容されないように規制すると共に第２の受容部で受容可能とする第１側傾動位置と、第２の受容部が前記第２の分岐流路側に傾動して導入流路から導かれた遊技媒体を第２の受容部に受容されないように規制すると共に第１の受容部で受容可能とする第２側傾動位置とに振分部材を位置決めする傾動規制ストッパとを備え、振分部材の重心を、上方規制部上に配置し、第２側傾動位置で第１の受容部に受容された遊技媒体の重心が軸に対して振分部材の重心と反対側に位置することで、その遊技媒体の自重によって振分部材が第１側傾動位置へと傾動すると共に、第１側傾動位置で第２の受容部に受容された遊技媒体の重心が軸に対して振分部材の重心と反対側に位置することで、その遊技媒体の自重によって振分部材が第２側傾動位置へと傾動するように構成し、第１側傾動位置では、第１の受容部に受容された遊技媒体を第１の分岐流路に導く一方、第２側傾動位置では、第２の受容部で受容される遊技媒体を第２の分岐流路に導くように導入流路から振分部材に流下した遊技媒体を当該遊技媒体の自重により第１の分岐流路と第２の分岐流路に交互に導く構成であるところに特徴を有する。
【０００７】
請求項２の発明は、請求項１に記載の遊技機において、遊技媒体を受け入れて遊技盤の裏側に取り込むと共に、遊技媒体を受け入れたことを条件にして遊技者に特典を付与する第１と第２の入賞口を備え、第１の入賞口を第１の分岐流路の終端に配置する一方、第２の入賞口を第２の分岐流路の終端に配置したところに特徴を有する。
【０００８】
請求項３の発明は、請求項１又は２に記載の遊技機において、第１規制部と第２規制部は、上方規制部に対して互いに対称であるところに特徴を有する。
【０００９】
請求項４の発明は、請求項１乃至３の何れか１の請求項に記載の遊技機において、第１側傾動位置では、上方規制部が導入流路から第１の分岐流路への遊技媒体の流下を規制しかつ導入流路から第２の分岐流路への遊技媒体の流下を第２規制部で規制することで遊技媒体を第２の受容部に受容すると共に第１の受容部から第１の分岐流路へ第１の受容部に受容された遊技媒体を導くことを可能とする一方、第２側傾動位置では、上方規制部が第２の受容部側に傾いて導入流路から第２の分岐流路への遊技媒体の流下を規制しかつ導入流路から第１の分岐流路への遊技媒体の流下を第１規制部で規制することで遊技媒体を第１の受容部に受容すると共に第２の受容部から第２の分岐流路へ第２の受容部に受容された遊技媒体を導くことを可能とするところに特徴を有する。
【００１０】
請求項５の発明は、請求項１乃至４の何れか１の請求項に記載の遊技機において、振分部材の側方に配置されかつ導入流路の下端部と第１又は第２の分岐流路とを連絡する流路の幅を、導入流路から離れるに従って幅広になるように構成したところに特徴を有する。
【００１１】
請求項６の発明は、請求項１乃至５の何れか１の請求項に記載の遊技機において、導入流路は、遊技媒体が１つずつ流下可能な幅をなし、振分部材が第２側傾動位置で第１の受容部に遊技媒体を受容してから、第１側傾動位置まで傾動する間に、第１の受容部に受容された遊技媒体及び上方規制部を導入流路内の次の遊技媒体に摺接させて、次の遊技媒体の振分部材側への流下を規制し、振分部材が第１側傾動位置で第２の受容部に遊技媒体を受容してから、第２側傾動位置まで傾動する間に、第２の受容部に受容された遊技媒体及び上方規制部を導入流路内の次の遊技媒体に摺接させて、次の遊技媒体の振分部材側への流下を規制するところに特徴を有する。
【００１２】
請求項７の発明は、請求項１乃至６の何れか１の請求項に記載の遊技機において、上方規制部の先端部は、基端側へ向かうにつれて両側部が互いに離れるように傾斜したところに特徴を有する。
【００１３】
請求項８の発明は、請求項１乃至７の何れか１の請求項に記載の遊技機において、振分部材が第１側傾動位置で、第１規制部が軸に対して斜め下方に位置し、振分部材が第２側傾動位置で、第２規制部が軸に対して斜め下方に位置するように構成したところに特徴を有する。
【００１４】
請求項９の発明に係る遊技機は、遊技媒体が流下する遊技領域を有する遊技盤と、遊技領域に配設されて、軸を中心に両側に傾動すると共に軸に対して上方に向けて交差する基準線の両側に遊技媒体を受容するための第１と第２の受容部を有した振分部材と、第１の受容部が遊技媒体を受容可能となりかつ第２の受容部から遊技媒体を排出可能となるように基準線が第２の受容部側に傾いた第２側傾動位置と、第２の受容部が遊技媒体を受容可能となりかつ第１の受容部から遊技媒体を排出可能となるように基準線が第１の受容部側に傾いた第１側傾動位置とに振分部材を位置決めする傾動規制ストッパとを備えて上方から振分部材に流下した遊技媒体を左右に交互に振り分け可能であり、振分部材の重心を、軸より上側でかつ基準線上に配置し、第２側傾動位置で第１の受容部に受容された遊技媒体の重心が軸に対して振分部材の重心と反対側に位置することで、その遊技媒体の自重によって振分部材が第１側傾動位置へと傾動すると共に、第１側傾動位置で第２の受容部に受容された遊技媒体の重心が軸に対して振分部材の重心と反対側に位置することで、その遊技媒体の自重によって振分部材が第２側傾動位置へと傾動するように構成したところに特徴を有する。
【発明の効果】
【００１５】
［請求項１の発明］
請求項１の発明に係る遊技機では、振分部材が、導入流路側の上方に向けて延びた上方規制部の両側に遊技媒体を受容可能な第１と第２の受容部を備え、第１の受容部が第１の分岐流路側に傾動した第１側傾動位置と、第２の受容部が第２の分岐流路側に傾動した第２側傾動位置とに位置決めされる。そして、第２側傾動位置に配置された振分部材が第１の受容部で遊技媒体を受容すると、遊技媒体の自重によって第１側傾動位置へ傾動して遊技媒体を第１の分岐流路に導き、第２の受容部で遊技媒体を受容可能となる。また、第１側傾動位置に配置された振分部材が第２の受容部で遊技媒体を受容すると、遊技媒体の自重によって第２側傾動位置へ傾動して遊技媒体を第２の分岐流路に導き、第１の受容部で遊技媒体を受容可能となる。このように、本発明によれば、振分部材が、上方規制部の両側に備えた２つの受容部で遊技媒体を交互に受容し、各受容部に対応した分岐流路へ遊技媒体を導くので、遊技媒体を当該遊技媒体の自重により両側に交互に振り分けることができる。また、本発明では、遊技媒体を第１又は第２の受容部で下方から受け止めて流下させる構成になっているので、遊技媒体の流下速度を調整して第１又は第２の分岐流路へ流下させることができる。
【００１６】
［請求項２の発明］
請求項２の発明によれば、導入流路を流下する遊技媒体を第１入賞口と第２入賞口とに交互に入賞させることができる。
【００１７】
［請求項３の発明］
請求項３の発明の構成によれば、バランス良く遊技媒体を交互に振り分けることが可能である。
【００１８】
［請求項４の発明］
請求項４の発明の構成によれば、導入流路から流下する遊技媒体をスムーズに第１の分岐流路と第２の分岐流路とに交互に導くことが可能となる。
【００１９】
［請求項５の発明］
請求項５の発明では、第１側傾動位置の振分部材の第２の受容部に受容された遊技媒体は、上方規制部によって第１の分岐流路への流下が規制されると共に、第２の分岐流路側に延びた第２規制部によって第２の分岐流路への流下が規制される。ここで、導入流路の下端部と第２の分岐流路とを連絡する流路は、導入流路から離れるに従って幅広になっているので、振分部材が第１側傾動位置から第２側傾動位置へと傾動すると、第２規制部の延びた方向で第２規制部より先方に遊技媒体が通過可能な隙間ができ、遊技媒体が第２の分岐流路へ流下する。振分部材が第２側傾動位置から第１側傾動位置へ傾動するときも同様に、第１規制部より先方に遊技媒体が通過可能な隙間ができる。このように、本発明によれば、振分部材が傾動することによってはじめて遊技媒体を流下させることができる。
【００２０】
［請求項６の発明］
請求項６の発明によれば、振分部材が第１側傾動位置と第２側傾動位置との間を傾動する間に、第１又は第２の受容部に受容された遊技媒体及び上方規制部が導入流路内の次の遊技媒体に摺接して、次の遊技媒体の振分部材への流下を規制する。これにより、第１又は第２の受容部に２つ以上の遊技媒体が受容されることが抑制され、第１と第２の分岐流路に遊技媒体を１つずつ交互に流下させることができる。
【００２１】
［請求項７の発明］
請求項７の発明によれば、振分部材が傾動して上方規制部が導入流路の排出部側に向けて位置したときに、上方規制部の先端部の両側部が側方へ向けて斜めに傾斜するので、振分部材側へ流下する遊技媒体を第１又は第２の受容部にスムーズに流下させることができる。
【００２２】
［請求項８の発明］
請求項８の発明によれば、第１又は第２の受容部に受容された遊技媒体をスムーズに排出することができる。
【００２３】
［請求項９の発明］
請求項９の発明に係る遊技機では、振分部材が、軸に対して上方に向けて交差する基準線の両側に遊技媒体を受容可能な第１と第２の受容部を備え、基準線が第１の受容部側に傾いた第１側傾動位置と、基準線が第２の受容部側に傾いた第２側傾動位置とに位置決めされる。そして、第２側傾動位置に配置された振分部材が第１の受容部で遊技媒体を受容すると、遊技媒体の自重によって第１側傾動位置へ傾動して遊技媒体を排出し、第２の受容部で遊技媒体を受容可能となる。また、第１側傾動位置に配置された振分部材が第２の受容部で遊技媒体を受容すると、遊技媒体の自重によって第２側傾動位置へ傾動して遊技媒体を排出し、第１の受容部で遊技媒体を受容可能となる。このように、本発明によれば、振分部材が、基準線の両側に備えた第１と第２の受容部で遊技媒体を交互に受容し、各受容部から遊技媒体を排出するので、遊技媒体を両側に交互に振り分けることができる。また、本発明では、遊技媒体を第１又は第２の受容部で下方から受け止めて流下させる構成になっているので、遊技媒体の流下速度を調整してから下方に流下させることができる。
【図面の簡単な説明】
【００２４】
【図１】本発明の一実施形態に係る遊技機の正面図
【図２】遊技盤の正面図
【図３】入賞口ユニットの前方斜視図
【図４】入賞口ユニットの後方斜視図
【図５】前面カバーを外した状態の入賞口ユニットの後方斜視図
【図６】前面カバーを外した状態の入賞口ユニットの前方斜視図
【図７】入賞口ユニットの構成部品及び後面カバーの前方斜視図
【図８】入賞口ユニットの構成部品及び後面カバーの後方斜視図
【図９】振分部材受容部及び後側ケースの（Ａ）前方斜視図、（Ｂ）後方斜視図
【図１０】振分部材の（Ａ）前方斜視図、（Ｂ）後方斜視図
【図１１】第２の受容部に遊技球が受容されたときの振分装置の正面図
【図１２】第２側傾動位置に配置されたときの振分装置の正面図
【図１３】第１の受容部に遊技球が受容されたときの振分装置の正面図
【図１４】第１側傾動位置に配置されたときの振分装置の正面図
【図１５】遊技球が連続して振分装置に入球したときの振分部材の正面図
【図１６】変形例に係る振分部材の（Ａ）斜視図、（Ｂ）正面図
【図１７】変形例に係る振分部材の正面図
【発明を実施するための形態】
【００２５】
以下、本発明を適用したパチンコ遊技機１０に係る一実施形態を、図１〜図１５に基づいて説明する。図１に示すように、遊技盤１１の前面には、ガイドレール１２で囲まれたほぼ円形の遊技領域ＹＲ１が形成されている。
【００２６】
遊技盤１１の前面は、パチンコ遊技機１０の前面に開閉可能に取り付けられた前面枠１０Ｚにて覆われ、その前面枠１０Ｚに形成されたガラス窓１０Ｗを通して遊技領域ＹＲ１の全体が視認可能となっている。前面枠１０Ｚのうちガラス窓１０Ｗより上側の両角位置には、それぞれスピーカ２５，２５が設けられている。また、前面枠１０Ｚのうちガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球（本発明の「遊技媒体」に相当する）が遊技領域ＹＲ１に向けて弾き出される。なお、上皿２６に備えたボタン（図示せず）を押すと上皿２６に収容されている遊技球が下皿２７へと移動する。
【００２７】
図２に示すように、遊技盤１１のうち遊技領域ＹＲ１の中央には、遊技盤表示窓１１Ｈが貫通形成されており、その遊技盤表示窓１１Ｈに遊技盤１１の裏面側から表示装置３０が対向している。表示装置３０は、液晶モジュールで構成され、その表示画面３０Ｇが、遊技盤１１の奥側に配置されている。
【００２８】
遊技盤１１の前面中央には、表示画面３０Ｇを囲むように表示装飾枠２３が取り付けられている。表示装飾枠２３は、遊技盤１１の前面側から遊技盤表示窓１１Ｈに嵌め込まれ、遊技盤表示窓１１Ｈの内側に張り出すと共に、遊技盤１１の前面から突出している。そして、遊技領域ＹＲ１を流下する遊技球が、表示装飾枠２３の前側を通過して表示装飾枠２３の内側に進入しないように構成されている。
【００２９】
表示装飾枠２３の左側の下方には、風車１９が設けられ、遊技領域ＹＲ１の左側を流下してきた遊技球の進路を中央側へ変更可能になっている。また、表示装飾枠２３の左側部には、表示装飾枠２３の下辺の内側上面に形成されたステージ２４へ遊技球を案内するためのステージ導入口２２が備えられている。
【００３０】
ステージ２４における左右方向の中央部には、ステージ２４上の遊技球を前方へ案内する球誘導路２４Ａ，２４Ａが横並びに配置されている。また、ステージ２４の奥側には、図示しないワープ入口が設けられ、そのワープ入口に入球した遊技球が、球誘導路２４Ａ，２４Ａの下方に配置されたワープ出口２４Ｂから排出されるようになっている。
【００３１】
表示装飾枠２３の下方における右側には、第３始動入賞口１７と大入賞口１５が上下に並べて設けられている。また、第３始動入賞口の右側には、始動ゲート１８が備えられている。
【００３２】
表示装飾枠２３の下方における左右方向の中央部には、振分装置４０とアウト口１６が、上下に間隔を開けて並べて設けられている。振分装置４０は、下端部に第１始動入賞口１４Ａ（本発明の「第１の入賞口」に相当する）、第２始動入賞口１４Ｂ（本発明の「第２の入賞口」に相当する）を左右横並びにして備え、上端部で上方に開口した入球口４１に入球した遊技球を第１と第２の始動入賞口１４Ａ，１４Ｂに振り分け可能になっている。また、振分装置４０の左側には、サイド入賞口２１が設けられている。
【００３３】
遊技領域ＹＲ１の下側部分には、ガイドレール１２に沿って一般入賞口２０が複数設けられている。また、遊技領域ＹＲ１には多数の障害釘が植設されている。
【００３４】
次に、遊技領域ＹＲ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入賞すると、その遊技球は遊技盤１１の裏側に取り込まれ、例えば、１個の入賞につき１５個の賞球が上皿２６に払い出される。
【００３５】
第１及び第２の始動入賞口１４Ａ，１４Ｂも、一般入賞口２０と同様に、ポケット構造になっていて、遊技球が１つずつ入ることが可能な大きさで上方に開口している。
【００３６】
始動ゲート１８は、遊技球が潜って通過可能な門形構造をなしている。始動ゲート１８を遊技球が通過すると普通図柄の当否判定が行われる。その当否判定の結果は、表示画面３０Ｇの右下隅の普通図柄表示部３８にて表示される。例えば、当否判定の結果が当たりの場合には、普通図柄表示部３８に「○」が表示され、外れの場合には、「×」が表示される。なお、普通図柄表示部３８が変動表示の最中に始動ゲート１８を遊技球が通過した場合、その通過球は最大で４個まで保留記憶される。そして、普通図柄表示部３８の変動表示が終了すると、その保留記憶に基づいて再び普通図柄表示部３８が変動表示される。
【００３７】
なお、本実施形態では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。「時短遊技」は、「大当たり遊技」終了後、第１〜第３の始動入賞口１４Ａ，１４Ｂ，１７への入賞回数が、例えば、１００回に達するか、或いは、「時短遊技」中に「大当たり遊技」へ移行した場合に終了する。
【００３８】
第３の始動入賞口１７は、遊技盤１１の前面から突出した部材の上面に遊技球が１つずつ入賞可能な開口を備えた、所謂、ポケット構造をなし、その開口の左右両側には可動翼片１７Ａ，１７Ａが備えられている。これら両可動翼片１７Ａ，１７Ａは、常には、起立状態になっている。また、第３始動入賞口１７の上方には、図示しない障害釘が配置されて、常には遊技球が入賞しないようになっている。そして、上述した普通図柄の当否判定結果が当たりとなった場合に、可動翼片１７Ａ，１７Ａが所定期間に亘って横に倒される。すると、第３始動入賞口１７の上方空間が側方に開放し、遊技球が可動翼片１７Ａを案内して第３始動入賞口１７に入賞可能となる。
【００３９】
各始動入賞口１４Ａ，１４Ｂ，１７に遊技球が入賞すると、例えば、１個の入賞につき４個の遊技球が上皿２６に払い出されると共に、特別図柄の当否判定が行われる。その判定結果は、表示装置３０の表示画面３０Ｇにて表示される。
【００４０】
具体的には、表示画面３０Ｇには、通常、３つの左、中、右の特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４Ａ，１４Ｂ，１７に遊技球が入賞したときに、これら３つの特別図柄が変動表示（上下方向にスクロール表示）され、所定時間後に、例えば、左、右、中の順で各特別図柄が停止表示される。始動入賞口１４Ａ，１４Ｂ，１７への入賞に起因した当否判定結果が当たり（以下、「大当たり」という）の場合には、３つの特別図柄が全て同じ図柄（ゾロ目）で停止表示され、その後、遊技状態が「大当たり遊技」に移行する。これに対し、判定結果が外れの場合には、ゾロ目以外の組み合わせで停止表示され、通常の遊技状態が続行する。
【００４１】
ここで、表示画面３０Ｇにて特別図柄が変動表示している最中又は「大当たり遊技」の最中に各始動入賞口１４Ａ，１４Ｂ，１７に入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄の変動表示が開始される。なお、保留記憶数は、表示画面３０Ｇのうち上述した普通図柄表示部３８の上方にある特別図柄保留数表示部３７によって遊技者に報知される。
【００４２】
具体的には、第１及び第２の始動入賞口１４Ａ，１４Ｂに入賞した遊技球の保留記憶数の合計が、例えば、青色の「１」〜「８」までの数字で表示され、第３始動入賞口１７に入賞した遊技球の保留記憶数が、例えば、赤色の「１」〜「４」までの数字で表示される。なお、保留記憶がない場合には、「０」が表示される。
【００４３】
大入賞口１５は、横長矩形状をなし、通常の遊技状態では、可動扉１５Ｔにて閉塞されている。そして、遊技状態が「大当たり遊技」になると、可動扉１５Ｔが所定期間に亘って前側に倒される。すると、第１大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００４４】
ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１６ラウンドまで継続される。本実施形態では、第１〜第３の始動入賞口１４Ａ，１４Ｂ，１７のうち何れの始動入賞口の入賞で大当たりとなっても、同じラウンド数の大当たり遊技が実行されるようになっている。言い換えれば、何れの始動入賞口の入賞で大当たりとなっても、遊技者に付与する特典が等価値になっている。
【００４５】
上述した各入賞口１４Ａ，１４Ｂ，１５，１７，２０，２１の何れにも入賞しなかった遊技球は、遊技領域ＹＲ１の下端に配置されたアウト口１６に全て取り込まれる。  
【００４６】
さて、図３には、振分装置４０を備えた入賞口ユニット５０の外観全体が示されている。入賞口ユニット５０は、遊技盤１１に固定される取付板５１を備えている。具体的には、取付板５１は、上下方向の中間位置より下側部分が左側に張り出した形状になっていて、取付板５１の外縁部には、複数の螺子孔５１Ａが貫通形成されている。そして、取付板５１を遊技盤１１に重ねた状態で、螺子孔５１Ａに通した螺子を遊技盤１１に締め付けて入賞口ユニット５０が遊技盤１１に固定されている。
【００４７】
なお、取付板５１の外縁部の裏側には、入賞口ユニット５０を遊技盤１１に位置決めするための位置決め突部５１Ｂが複数形成されている（図４参照）。また、取付板５１の下端部は、遊技領域ＹＲ１の下端部に沿った形状になっていて、右側部分の下端部が、アウト口１６の開口縁の上端部を形成している（図２参照）。
【００４８】
図４に示すように、取付板５１の下端部の裏側には、球誘導部５２が備えられている。球誘導部５２は、左右方向に長くなったブロック状になっていて、上面に、案内溝２１Ｍ，５２Ａ，５２Ｂを備えている。それら案内溝２１Ｍ，５２Ａ，５２Ｂは、前方から見たときの左側、即ち、取付板５１が張り出した側から順番に配置されている。
【００４９】
取付板５１の張り出し部分の前面には、前後方向に延びた溝の前側を塞いだ構造のサイド入賞口本体２１Ａが取り付けられて、上述したサイド入賞口２１が形成されている。取付板５１のうちサイド入賞口本体２１Ａと対向する部分には、貫通孔２１Ｂが形成され、サイド入賞口本体２１Ａの溝と案内溝２１Ｍとが連通している。これにより、サイド入賞口２１に入賞した遊技球が、貫通孔２１Ｂを通って遊技盤１１の裏側へと移動し、案内溝２１Ｍによってパチンコ遊技機１０の奥側へと案内される。なお、サイド入賞口本体２１Ａの溝の底面には、三角突片２１Ｔが設けられ、遊技球を遊技盤１１の裏側へ誘導するようになっている。
【００５０】
図５に示すように、取付板５１の右側部分の前面は、前面カバー５３で覆われている。前面カバー５３は、取付板５１と平行な前面壁５４と、前面壁５４の後面から起立した流路側壁５７，５７とから構成されている。なお、前面カバー５３は、透明な合成樹脂で構成され、遊技者が取付板５１と前面カバー５３とに挟まれた部分を視認できるようになっている。
【００５１】
前面壁５４は、全体が左右対称になっていて、上下方向の中間位置より上側の上側構成壁５５が下方に向かうに従って幅広になった形状をなし、上下方向の中間位置より下側の下側構成壁５６が四角形状をなしている。流路側壁５７，５７は、上側構成壁５５の両端部の形状に沿って左右対称に配置され、下方に向かうに従って互いに離れるようになっている。また、流路側壁５７，５７のうち互いに対向する面の下端部は、鉛直面と平行になっている。
【００５２】
入賞口ユニット５０の上端部には、上述した入球口４１が上側構成壁５５、流路側壁５７，５７及び取付板５１によって形成されている（図４参照）。ここで、上側構成壁５５は、上端部では幅がほとんど同じになっていて、その上端部の幅は、遊技球１個の直径よりも若干大きくなっている（図１１参照）。また、流路側壁５７，５７の突出高さについても、遊技球１個の直径よりも若干大きくなっている。これにより、入球口４１には、遊技球が１つだけ通過可能になっている。
【００５３】
上側構成壁５５の下端部の裏面には、円形に陥没したボス受容部５５Ａが備えられている。また、下側構成壁５６の上端部の裏面には、誘導凹部５６Ａ，５６Ａが形成されている。誘導凹部５６Ａ，５６Ａは、横長の長円形状をなし、左右横並びに配置されている。
【００５４】
図６に示すように、取付板５１のうち前面カバー５３の下側構成壁５６で前方を覆われる部分には、始動入賞口本体５８，５８が左右横並びにして備えられている。始動入賞口本体５８は、上方に開口した略コの字形状になっていて、始動入賞口本体５８で囲まれた部分に、前後方向に延びた入賞口溝５８Ｍが形成されている。そして、各入賞口溝５８Ｍの前方が前面カバー５３で閉塞されることにより前述した第１と第２の始動入賞口１４Ａ，１４Ｂが形成されている。
【００５５】
また、取付板５１には、前後に貫通して入賞口溝５８Ｍと球誘導部５２の案内溝５２Ｍとを連絡する貫通孔（図示せず）が形成されている。これにより、第１と第２の始動入賞口１４Ａ，１４Ｂに入賞した遊技球が遊技盤１１の裏側へと移動し、案内溝５２Ｍによってパチンコ遊技機１０の奥側へと案内される。なお、入賞口溝５８Ｍの底面には、サイド入賞口本体２１Ａと同様に、三角突片５８Ｔが形成されている。
【００５６】
始動入賞口本体５８の上端部には、球検出センサ５９が備えられている。球検出センサ５９は、前後方向に長いブロック状をなして前端部に上下に貫通形成された通過孔５９Ａを備え、通過孔５９Ａを通過した遊技球を検出する構成になっている（図４参照）。また、球検出センサ５９は、取付板５１の貫通孔５８Ａを貫通し、通過孔５９Ａが入賞口溝５８Ｍの上方に配置され、通過孔５９Ａを通過した遊技球が入賞口溝５８Ｍに受容されるようになっている。これにより、第１及び第２の始動入賞口１４Ａ，１４Ｂに入賞した遊技球は、球検出センサ５９によって検出される。なお、球検出センサ５９の後端部は、球誘導部５２に備えたストッパ５２Ｓによって位置決めされている（図５参照）。
【００５７】
取付板５１のうち前面カバー５３の上側構成壁５５で前方を覆われる部分であって第１及び第２の始動入賞口１４Ａ，１４Ｂの真上位置には、遊技球の直径とほぼ同じ長さ分だけ左右方向に延びた誘導突条６０，６０が形成されている。誘導突条６０は、左右方向からみた断面形状が、上面が前方へ下るように傾斜しかつ下面が後方へ下るように傾斜した三角形状になっている。
【００５８】
誘導突条６０，６０の間には、取付板５１の前面から突出して前面カバー５３の上側構成壁５５に突き当てられたストッパ突部４３（本発明の「傾動規制ストッパ」に相当する）が備えられている。ストッパ突部４３は、前方からみた形状が、１対の誘導突条６０，６０から等距離にある左右中央線Ｌ１に対して左右対称な横長の四角形状になっていて、左右の両端に、左右方向と直交した鉛直側面６１，６１を有する（図１１参照）。鉛直側面６１と前面カバー５３の流路側壁５７との間の距離は、遊技球の直径より若干大きくなっている。なお、鉛直側面６１は、上端位置が誘導突条６０の上端より若干上方に位置している。
【００５９】
図１１に示すように、ストッパ突部４３の上面のうち左右方向の中央部には、水平面と平行になった平坦部４３Ｈが形成されている。また、ストッパ突部４３の上端部の両側部には、平坦部４３Ｈの両端から下方に向かうに従って互いに離れるように傾斜して鉛直側面６１，６１の上端に連絡した傾斜面４３Ｋ，４３Ｋが形成されている。
【００６０】
図９に示すように、取付板５１のうちストッパ突部４３の上方には、取付板５１の前面から陥没して取付板５１より後方に突出した振分部材受容部６２が備えられている。振分部材受容部６２は、全体が、左右中央線Ｌ１（図１１参照）と直交しかつ前後方向に延びた中心軸を持つ円柱を下端側からその中心軸の近傍まで切除した蒲鉾状をなし、同様の蒲鉾状をなして前方に開放した受容凹部６２Ａを有している。
【００６１】
受容凹部６２Ａの内側面のうち下端側に位置する下側内側面６２Ｍは、ストッパ突部４３の平坦部４３Ｈと面一になっている。受容凹部６２Ａの下端側の下側内側面６２Ｍとストッパ突部４３の平坦部４３Ｈとには、左右方向の中央位置で前後方向に延びた中央溝４３Ｍが形成されている。また、受容凹部６２Ａの奥面６２Ｎのうち中央溝４３Ｍの上方位置には、筒状のシャフト受容部６２Ｓが設けられている。なお、中央溝４３Ｍを前方から見た形状は円弧状になっている。
【００６２】
振分部材受容部６２の後端部には、係合突部７０と第１磁石収容部７１が設けられている（図９（Ｂ）参照）。係合突部７０及び第１磁石収容部７１は、振分部材受容部６２の左右方向の中央位置に、上下に並べて配置されている。係合突部７０は、係合突部７０は、前後方向に延びた円柱状をなし、シャフト受容部６２Ｓ（図９（Ａ）参照）と同じ中心軸を有している。第１磁石収容部７１は、係合突部７０の上方に配置され、前後方向に延びた円筒状をなしている。なお、第１磁石収容部７１の前端部は、受容凹部６２Ａの奥面６２Ｎから前方に突出している。
【００６３】
振分部材受容部６２の後面は、後側ケース７２で覆われている。後側ケース７２は、振分部材受容部６２と同様の蒲鉾形状をなし、受容凹部６２Ａと同様の形状をして前方に開放した磁石収容凹部７５を備えている。磁石収容凹部７５の奥面７５Ｍには、円筒状をなして係合突部７０の後端部を受容する軸受部７６が備えられている。また、磁石収容凹部７５の奥面７５Ｍのうち軸受部７６の上方には、第１磁石挿通孔７２Ａ（図９（Ｂ）参照）が前後方向に貫通形成されている。
【００６４】
図７に示すように、入賞口ユニット５０の後側は、取付板５１に固定された後面カバー７４で覆われている。後面カバー７４のうち後側ケース７２との対向する部分には、前方に向かって延びた第１磁石７３が備えられている。第１磁石７３は、後側ケース７２の第１磁石挿通孔７２Ａを貫通して後側ケース７２内に突出し、前端部が第１磁石収容部７１に受容されている。
【００６５】
図６に示すように、ストッパ突部４３の上方には、振分部材４２が備えられている。図１０に拡大して示すように、振分部材４２は、筒状をなして前後方向に延びた回転軸部８０と、回転軸部８０の前後方向の中間位置から上方に張り出した区画壁８１とを備えている。
【００６６】
図１０（Ｂ）に示すように、回転軸部８０の中心軸部には、後方に開口した挿通孔８０Ａが形成されている。また、回転軸部８０の前端面には、円柱ボス８０Ｂが設けられている（図１０（Ａ）参照）。
【００６７】
区画壁８１は、回転軸部８０を中心とした扇形状をなし、回転軸部８０の中心軸に直交する基準中心線Ｌ２（図１１参照）に対して左右対称形になっている。区画壁８１の外縁部の後面には、基準中心線Ｌ２上に配置されかつ前後方向に延びた円筒状の第２磁石収容部８２が形成されている。なお、第２磁石収容部８２及び回転軸部８０の両側には、区画壁８１の後面から区画壁８１の外縁に沿って起立した外周壁８１Ｇ，８１Ｇが設けられている。なお、回転軸部８０の中心軸が、本発明の「軸」に相当し、基準中心線Ｌ２が、本発明の「基準線」に相当する。
【００６８】
図７に示すように、第２磁石収容部８２は、第１磁石収容部７１の前方に配置されている。また、第２磁石収容部８２の内部には、円柱状の第２磁石８３（図８参照）が収容されている。この第２磁石８３は、後側に配置された部分が前述した第１磁石７３の前側に配置された部分と反対の極性を有し、第２磁石収容部８２と第１磁石収容部７１が前後方向で重ならないようになっている。
【００６９】
図１０（Ａ）に示すように、回転軸部８０のうち区画壁８１より前側には、回転軸部８０の外周面から基準中心線Ｌ２に沿って上方に延びた中央規制部４４（本発明の「上方規制部」に相当する）が設けられている。中央規制部４４は、基準中心線Ｌ２に対して対称な形状になっていて、中央規制部４４が延びる方向の中間位置に、基端側が幅狭になった絞り部４４Ｂを有し、絞り部４４Ｂより基端側が直線状になっている。また、中央規制部４４のうち絞り部４４Ｂより先端側の先端部４４Ａは、両側部が基端側に向かうに従って互いに離れるように傾斜した略三角形状をなし、先端面が丸みを帯びている。
【００７０】
中央規制部４４の両側には、第１規制部４５Ａと第２規制部４５Ｂとが備えられている。第１規制部４５Ａ及び第２規制部４５Ｂは、回転軸部８０の外周面から外側に向かって突出し、基準中心線Ｌ２に対して対称に配置されている。具体的には、第１規制部４５Ａ及び第２規制部４５Ｂは、区画壁８１における扇形の直線部分に沿って配置され、先端に向かうに従って幅狭になっている。なお、第１規制部４５Ａ及び第２規制部４５Ｂの上面は、基準中心線Ｌ２と直交する平面に対して先端部が中央規制部４４の先端側に若干傾斜している。
【００７１】
中央規制部４４は、回転軸部８０から区画壁８１の外縁まで突出し、中央規制部４４の先端部４４Ａは、区画壁８１を挟んで第２磁石収容部８２の前方に配置されている（図７参照）。また、第１規制部４５Ａ及び第２規制部４５Ｂは、回転軸部８０からの突出量が中央規制部４４よりも小さくなっている。具体的には、第１規制部４５Ａ及び第２規制部４５Ｂは、区画壁８１の径方向における中央位置より若干外側まで突出している。そして、中央規制部４４と第１規制部４５Ａとの間には、遊技球を１つだけ受容可能な大きさの第１の受容部４６Ａが形成されている（図１３参照）。また、中央規制部と第２規制部４５Ｂとの間にも、遊技球を１つだけ受容可能な大きさの第２の受容部４６Ｂが形成されている（図１１参照）。なお、中央規制部４４及び第１と第２の規制部４５Ａ，４５Ｂの後端部は、区画壁８１と一体になっている。
【００７２】
さて、振分部材４２は、回転軸部８０を中心として左右に回転可能になっている。具体的には、回転軸部８０の挿通孔８０Ａには、図示しない回転シャフトが挿通されている。そして、その回転シャフトの後端部が振分部材受容部６２のシャフト受容部６２Ｓ（図７参照）に受容され、回転軸部８０の円柱ボス８０Ｂが上端構成壁５５の裏面のボス受容部５５Ａ（図８参照）に受容されることで、振分部材４２は、取付板５１と前面カバー５３との間で回転可能に軸支されている。
【００７３】
図１１に示すように、振分部材４２は、基準中心線Ｌ２（即ち、中央規制部４４）が鉛直方向と平行な状態から左側へ回転すると、第１規制部４５Ａの下面がストッパ突部４３の平坦部４３Ｈと当接して、左側への回転が規制される。このとき、第２の受容部４６Ｂが導入流路４７の下方位置で上方に向かって開放した状態となり、第１の受容部４６Ａが左側に向かって開放した状態になる。また、第１規制部４５Ａは、回転軸部８０に対して斜め左下方に配置され、第１規制部４５Ａの上面が左側へ向かって下るように傾斜してストッパ突部４３の左側の傾斜面４３Ｋと略面一になっている。
【００７４】
また、図１２に示すように、振分部材４２が、基準中心線Ｌ２（中央規制部４４）が鉛直方向と平行な状態から右側へ回転すると、第２規制部４５Ｂの下面がストッパ突部４３の平坦部４３Ｈと当接して、右側への回転が規制される。このとき、第１の受容部４６Ａが導入流路４７の下方位置で上方に向かって開放した状態となり、第２の受容部４６Ｂが右側に向かって開放した状態になる。また、第２規制部４５Ｂは、回転軸部８０に対して斜め右下方に配置され、第１規制部４５Ｂの上面が右側へ向かって下るように傾斜してストッパ突部４３の右側の傾斜面４３Ｋと略面一になっている。なお、図１１及び図１２に示した振分部材４２は、区画壁８１及び外周壁８１Ｇが振分部材受容部６２の下側内側面６２Ｍと当接することによっても回転が規制されている。
【００７５】
ここで、振分部材４２は、上述した第１磁石７３と第２磁石８３との反発によって、基準中心線Ｌ２、即ち、中央規制部４４が鉛直方向と平行になった状態では安定せず、基準中心線Ｌ２が鉛直方向に対して左右の何れかに傾いた状態となる。また、振分部材４２は、基準中心線Ｌ２を中心とした左右対称形状をなし、回転軸部８０から上方に張り出した形状になっているので、重心４２Ｇが回転軸部８０より上方でかつ基準中心線Ｌ２上に位置する。従って、振分部材４２は、基準中心線Ｌ２が鉛直方向に対して傾くと、自重によって左側又は右側へ回転する。これにより、振分部材４２は、図１１に示す位置か図１２に示す位置の何れか一方の位置で位置決めされる。本実施形態では、図１１に示す振分部材４２の位置が、本発明の「第１側傾動位置」に相当し、図１２に示す振分部材４２の位置が、本発明の「第２側傾動位置」に相当する。なお、振分部材４２は、例えば、合成樹脂製であって、遊技球１つ分の重さよりも軽くなっている。
【００７６】
次に、振分装置４０の動作について説明する。図１１に示すように、振分装置４０の入球口４１に入球した遊技球９０は鉛直下方に流下する。振分部材４２が第１側傾動位置に配置されていると、遊技球９０は、中央規制部４４によって第１の受容部４６Ａへの受容が規制され、第２の受容部４６Ｂに受容される。詳細には、振分部材４２が第１側傾動位置にあるとき、中央規制部４４と左側の流路側壁５７との間隔及び第２規制部４６Ｂと右側の流路側壁５７との間隔が、遊技球９０の直径よりも小さくなっていて、遊技球９０は、中央規制部４４によって左側への流下が規制されると共に、第２規制部４５Ｂによって右側への流下が規制されて、第２の受容部４６Ｂに受容される。
【００７７】
このとき、第２の受容部４６Ｂに受容された遊技球９０は、重心が回転軸部８０の中心軸よりも右側に位置する。また、振分部材４２の重心は、上述したように、基準中心線Ｌ２上にあり、回転軸部８０の中心軸よりも右側に位置する。即ち、遊技球９０の重心は、振分部材４２の回転軸を挟んで振分部材４２の重心と反対側に配置されている。ここで、遊技球９０の重量は振分部材４２の重量よりも大きくなっているので、振分部材４２は、遊技球９０の自重によって右側へ回転し、第２側傾動位置に配置される（図１２参照）。
【００７８】
図１２に示すように、振分部材４２が第２側傾動位置に配置されると、第２の受容部４６Ｂに受容されていた遊技球９０は、第２規制部４６Ｂ及びストッパ突部４３の右側の傾斜面４３Ｋに沿って斜め右下方に転動した後、右側の流路側壁５７の下端部に沿って鉛直下方に流下し、第２始動入賞口１４Ｂに入球する。なお、このとき、遊技球９０は、誘導突条６０によって前方へ押されるが、前面カバー５３の裏面に形成された誘導凹部５６Ａ（図５参照）によって前方への移動が許容される。これにより、遊技球９０は、第２始動入賞口１４Ｂの前側に入球しやすくなっている。
【００７９】
次いで、図１３に示すように、振分部材４２が第２側傾動位置に配置された状態で入球口４１に遊技球９０が入球すると、遊技球９０は、第１の受容部４６Ａに受容される。詳細には、振分部材４２が第１側傾動位置に配置されたときと同様に、遊技球９０は、中央規制部４４によって右側への流下が規制されると共に、第１規制部４５Ａによって左側への流下が規制されて、第１の受容部４６Ａに受容される。
【００８０】
そして、図１１から図１２への変化と同様に、振分部材４２は、遊技球９０の自重によって左側へ回転し、第１側傾動位置に配置される（図１４参照）。すると、第１の受容部４６Ａに受容されていた遊技球９０が、第１規制部４６Ａ及びストッパ突部４３の左側の傾斜面４３Ｋに沿って斜め左下方に転動した後、左側の流路側壁５７の下端部に沿って鉛直下方に流下し、第１始動入賞口１４Ａに入球する。
【００８１】
そして、次の遊技球が入賞口４１に入球すると、図１１〜図１４に示す変化が繰り返される。このように、振分装置４０の入球口４１に入球した遊技球９０は、振分部材４２によって１個ずつ左右交互に振り分けられ、第１始動入賞口１４Ａと第２始動入賞口１４Ｂに交互に入賞する。
【００８２】
なお、本実施形態では、取付板５１と前面壁５４とで挟まれた領域のうち入球口４１より下方かつ振分部材受容部６２より上方の領域が、本発明の導入流路Ｒ１に相当する（図１１〜図１４参照）。また、左側の誘導突条６０の下方かつ第１始動入賞口１４Ａの上方の領域Ｒ３とを合わせた領域が、本発明の「第１の分岐流路」に相当し、右側の誘導突条６０の下方かつ第２始動入賞口１４Ｂの上方の領域Ｒ５とを合わせた領域が、本発明の「第２の分岐流路」に相当する。また、取付板５１と前面壁５４とで挟まれた領域のうち、導入流路Ｒ１の下端部、振分部材受容部６２及びストッパ突部４３より左側かつ左側の流路側壁５７より右側の領域Ｒ２と、導入流路Ｒ１の下端部、振分部材受容部６２及びストッパ突部４３より右側かつ右側の流路側壁５７より左側の領域Ｒ４とが、「振分部材の側方に配置されかつ導入流路の下端部と第１又は第２の分岐流路とを連絡する流路」に相当する。
【００８３】
図１５には、遊技球が２個連続して入球口４１に入球したときの振分部材４２の動作が示されている。図１５（Ａ）に示すように、振分部材４２が第１側傾動位置に配置されたときに１個目の遊技球９０Ａが導入流路Ｒ１を鉛直下方に流下すると、遊技球９０Ａは、第２の受容部４６Ｂに受容される。２個目の遊技球９０Ｂは、１個目の遊技球９０Ａと当接した状態で、導入流路Ｒ１内における入球口４１の真下かつ１個目の遊技球９０Ａの斜め左上位置に配置される。
【００８４】
遊技球９０Ａが第２の受容部４６Ｂに受容されると、振分部材４２は、遊技球９０Ａの自重によって第２側傾動位置へと回転する。このとき、遊技球９０Ｂは、遊技球９０Ａと摺接しながら、徐々に鉛直下方へと移動する。そして、中央規制部４４が鉛直方向と平行になったとき、遊技球９０Ｂは、中央規制部４４の先端部４４Ａに真上から当接する（図１５（Ｂ）参照）。ここで、中央規制部４４の先端部４４Ａは、両側部が基端側に向かうに従って互いに離れるように傾斜した略三角形状になっているので、遊技球９０Ｂを第１の受容部４６Ａとスムーズに流下させることができる。また、先端部４４Ａの先端面は丸みを帯びているので、遊技球９０Ｂと中央規制部４４とがスムーズに摺接する。
【００８５】
そして、図１５（Ｃ）に示すように、振分部材４２が第２側傾動位置に配置されると、第１の受容部４６Ａに２個目の遊技球９０Ｂが受容される。１個目の遊技球９０Ａは、第２の受容部４６Ｂから排出される。
【００８６】
次に、パチンコ遊技機１０の作用効果について説明する。操作ノブ２８（図１参照）が操作されると、遊技球が遊技領域ＹＲ１に打ち込まれる。ランダムに流下した遊技球の一部が振分装置４０の入球口４１に入球すると、その遊技球は、振分部材４２によって左右に振り分けられ、第１始動入賞口１４Ａ又は第２始動入賞口１４Ｂの何れか一方に入賞する。そして、その入賞に基づいて大当たり遊技の当否判定が行われ、その判定結果が当たりであると、可動扉１５Ｔを回動して大入賞口１５が所定期間に亘って開放され、通常時より、多量の賞球が上皿２６に払い出される。
【００８７】
ここで、本実施形態では、振分部材４２が、回転軸（即ち、回転軸部８０の中心軸）と直交する基準中心線Ｌ２の左右の両側に遊技球９０を受容可能な第１と第２の受容部４６Ａ，４６Ｂを備え、基準中心線Ｌ２が、左側（第１の受容部４６Ａ側）に傾いた第１側傾動位置と、基準中心線Ｌ２が右側（第２の受容部４６Ｂ側）に傾いた第２側傾動位置とに位置決めされる（図１１及び図１３参照）。そして、第２側傾動位置にある振分部材４２が第１の受容部４６Ａで遊技球９０を受容すると、遊技球９０の自重によって第１側傾動位置へと回転して遊技球９０を左側へ排出し（図１１及び図１２参照）、第２の受容部４６Ｂで遊技球を受容可能となる。また、第１側傾動位置に配置された振分部材４２が第２の受容部４６Ｂで遊技球９０を受容すると、遊技球９０の自重によって第２側傾動位置へと回転して遊技球９０を右側へ排出し、第１の受容部４６Ａで遊技球９０を受容可能となる（図１３及び図１４参照）。第１の受容部４６Ａから排出された遊技球９０は、第１始動入賞口１４Ａに入賞し、第２の受容部４６Ｂから排出された遊技球９０は、第２始動入賞口１４Ｂに入賞する。
【００８８】
このように、本実施形態のパチンコ遊技機１０によれば、振分部材４２が、基準中心線Ｌ２の両側に備えた２つの受容部で遊技球９０を交互に受容し、各受容部から遊技球９０を排出するので、遊技球９０を左右に交互に振り分けることができる。また、振分部材４２は、遊技球９０を第１の受容部４６Ａ又は第２の受容部４６Ｂで下方から受け止めて流下させる構成になっているので、遊技球９０の流下速度を減速して流下させることができる。
【００８９】
また、本実施形態によれば、第１始動入賞口１４Ａと第２始動入賞口１４Ｂとに交互に入賞させることができる。ここで、各始動入賞口について当否判定結果を最大４つまで保留できる場合には、最大８つまで当否判定結果を保留することが可能になる。しかも、第１始動入賞口１４Ａの４つの保留記憶に対応して、例えば、１，３，５，７章のストーリー演出を用意すると共に、第２始動入賞口１４Ｂの４つの保留記憶に対応して、例えば、２，４，６，８章のストーリー演出を用意すれば、１〜８章までの連続したストーリー演出が可能になる。
【００９０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９１】
（１）前記実施形態では、本発明をパチンコ遊技機に適用した例を示したが、アレンジボールに適用してもよい。
【００９２】
（２）前記実施形態では、遊技媒体が球体であったが、ラグビーボールのような楕円体であってもよいし、サッカーボールのような球形に近い多面体であってもよい。
【００９３】
（３）第１始動入賞口１４Ａ又は第２始動入賞口１４Ｂに遊技球が２個以上連続して入賞した場合に異常報知を行う構成としてもよい。この構成によれば、振分部材４２の破損や、不正行為を報知することができる。
【００９４】
（４）第１規制部４５Ａ及び第２規制部４５Ｂの下面にクッション部材を敷設した構成であってもよい。この構成によれば、振分部材４２が回転して第１規制部４５Ａ又は第２規制部４５Ｂがストッパ突部４３と当接した際の衝撃を抑えることができ、振分部材４２が反動で逆方向に回転することが防止できる。
【００９５】
（５）第１始動入賞口１４Ａに入賞したときと第２始動入賞口１４Ｂに入賞したときとの間で、当否判定が当たりとなったときに遊技者に付与する大当たり遊技の特典価値を異ならせてもよい。具体的には、第１始動入賞口１４Ａの入賞に起因する大当たり遊技を、例えば、８ラウンドの大当たり遊技とし、第２始動入賞口１４Ｂの入賞に起因する大当たり遊技を、例えば、１６ラウンドの大当たり遊技としてもよい。以上を踏まえた上で、より詳細に述べると、従来の遊技機では、第１始動入賞口と第２始動入賞口の保留個数は各々最大４個までであり、通常遊技状態では、第２始動入賞工に入賞し難く第１始動入賞口に入賞し易くすることが可能な構成であるため、通常遊技状態では保留が第１始動入賞口の最大４個まで或いはそれに第２始動入賞口の保留１個分くらいを付加した５個分くらいまでしか保留することができなかった。しかしながら、本構成により、導入流路を流下する遊技球は第１始動入賞口と第２始動入賞口とを交互に入賞するため、通常遊技状態では最大８個まで入賞することが可能である。ここで、８個目の保留が第１始動入賞口か第２始動入賞口の何れかになるため、ストーリー演出を第１始動入賞口か第２始動入賞口かによって変更することにより、８ラウンドか１６ラウンドかの大当たりか否かの演出を遊技者が見定めることも可能である。
【００９６】
（６）図１６に示す振分部材４２Ｖのように、基準中心線Ｌ２上かつ回転軸部８０から離れた位置で区画壁８１から前方に突出した中央突部９１（本発明の「上方規制部」に相当する）と、基準中心線Ｌ２の両側かつ回転軸部８０から離れた位置で区画壁８１から前方に突出した第１突部９２Ａ、第２突部９２Ｂ（それぞれ、本発明の「第１規制部」、「第２規制部」に相当する）を備えた構成であってもよい。この振分部材４２Ｖでは、前方から見たときに、回転軸部８０と中央突部９１を結ぶ直線、即ち、基準中心線Ｌ２と、回転軸部８０と第１突部９２Ａとを結ぶ直線とで挟まれた部分に第１の受容部９３Ａが形成され、基準中心線Ｌ２と、回転軸部８０と第２突部９２Ｂとを結ぶ直線とで挟まれた部分に第２の受容部９３Ｂが形成されている（図１６（Ｂ）参照）。
【００９７】
（７）図１７に示す振分部材４２Ｗのように、基準中心線Ｌ２の両側に上方に開放した第１と第２の凹部９５Ａ，９５Ｂを備えた構成であってもよい。なお、この構成では、第１と第２の凹部９５Ａ，９５Ｂが本発明の「第１と第２の受容部」に相当する。
【００９８】
（８）振分装置４０が、前面カバー５３を備えない構成であってもよい。この構成によっても、上方から流下した遊技球を第１と第２の受容部４６Ａ，４６Ｂで受容して左右に交互に振り分けることが可能になる。
【００９９】
（９）前記実施形態では、振分装置４０の入球口４１に入球した遊技球が鉛直下方に流下するように構成されていたが、斜め下方に流下するように構成されていてもよい。
【０１００】
（１０）前記実施形態では、中央規制部４４を基準中心線Ｌ２に対して左右対称となる構成にしているが、非対称となる構成にしてもよい。この場合、第１規制部４５Ａと第２規制部４５Ｂの重さを変更したりすることで調整が可能である。
【符号の説明】
【０１０１】
１０    遊技機
１１    遊技盤
１４Ａ    第１始動入賞口（第１の入賞口）
１４Ｂ    第２始動入賞口（第２の入賞口）
４０    振分装置
４１    入球口
４２，４２Ｖ，４２Ｗ    振分部材
４３    ストッパ突部（傾動規制ストッパ）
４４    中央規制部（上方規制部）
４５Ａ    第１規制部
４５Ｂ    第２規制部
４６Ａ，９３Ａ    第１の受容部
４６Ｂ，９３Ｂ    第２の受容部
９５Ａ    第１の凹部（第１の受容部）
９５Ｂ    第２の凹部（第２の受容部）
８０    回動軸部（軸）
９０，９０Ａ，９０Ｂ    遊技球
Ｌ２    基準中心線（基準線）
Ｒ１    導入流路
ＹＲ１    遊技領域
【図１】
2012231902.tif 000003
【図２】
2012231902.tif 000004
【図３】
2012231902.tif 000005
【図４】
2012231902.tif 000006
【図５】
2012231902.tif 000007
【図６】
2012231902.tif 000008
【図７】
2012231902.tif 000009
【図８】
2012231902.tif 000010
【図９】
2012231902.tif 000011
【図１０】
2012231902.tif 000012
【図１１】
2012231902.tif 000013
【図１２】
2012231902.tif 000014
【図１３】
2012231902.tif 000015
【図１４】
2012231902.tif 000016
【図１５】
2012231902.tif 000017
【図１６】
2012231902.tif 000018
【図１７】
2012231902.tif 000019